(57)【特許請求の範囲】
【請求項１】
所定のマルチチャンネル・フォーマットの入力オーディオ信号をデコードするデコード部と、
前記入力オーディオ信号の前記マルチチャンネル・フォーマットに必要なチャンネル数よりも少ない数の複数個のオーディオパワーアンプと、
前記デコード部と、前記複数個のオーディオパワーアンプとの間に設けられ、前記デコード部からの前記マルチチャンネル・フォーマットの複数チャンネルのデコード出力を入力チャンネルとして受け、前記複数個のオーディオパワーアンプの数以下のチャンネル数のオーディオ信号を出力チャンネルとして出力する信号処理部と、
複数個のオーディオパワーアンプの出力が供給される複数個のスピーカの配置についてのユーザによる設定情報を受け付けるためのユーザインタフェース手段と、
前記ユーザインタフェース手段で受け付けられた前記スピーカの配置の設定情報に基づいて、前記信号処理部における処理を制御する制御部と
を備え、
前記制御部は、前記スピーカの配置の設定情報に基づいて、前記入力チャンネルのうちの、対応するスピーカが配置されていないと判定される入力チャンネルのデコード部の出力は、対応するスピーカが配置されている他の入力チャンネルのデコード出力に混合し、かつ、前記混合により前記出力チャンネルとされなくなった入力チャンネルのために、使用可能となる出力チャンネルとして、対応するスピーカが配置されている他の入力チャンネルのデコード部の出力を導出するように、前記信号処理部を制御する
マルチチャンネルオーディオ再生装置。
【発明の詳細な説明】
【０００１】
【発明の属する技術分野】
この発明は、例えば、ＤＶＤ（Ｄｉｇｉｔａｌ  Ｖｉｄｅｏ  Ｄｉｓｃ）ビデオの音声フォーマットであるＡＣ−３（Ａｕｄｉｏ  Ｃｏｄｅ  Ｎｕｍｂｅｒ３）や、ｄｔｓ（ｄｉｇｉｔａｌ  ｔｈｅａｔｅｒ  ｓｙｓｔｅｍ）などのマルチチャンネルサラウンドのフォーマットのオーディオ信号の再生装置に関する。
【０００２】
【従来の技術】
ＤＶＤビデオの音声フォーマットにおいては、マルチチャンネルサラウンド方式が採用されており、ＡＣ−３やｄｔｓなどの５．１チャンネルが、よく知られている。この５．１チャンネルのマルチチャンネルサラウンドシステムは、フロント左右の２チャンネル、フロントセンタの１チャンネル、リア左右の２チャンネルの合計５チャンネルと、サブウーハーとが、スピーカ配置として規定されている。
【０００３】
このサラウンド信号を再生するＡＶ（Ａｕｄｉｏ  Ｖｉｓｕａｌ）アンプなどのマルチチャンネルオーディオ再生装置では、従来は、前記音声フォーマットで規定されている最大数のオーディオパワーアンプを内蔵することを前提としており、上述の５．１チャンネルのサラウンドを前提としたマルチチャンネルオーディオ再生装置では、通常、５個（サブウーハーについてはパワーアンプは設けない）のオーディオパワーアンプを内蔵している。
【０００４】
【発明が解決しようとする課題】
ところで、最近では、マルチチャンネルサラウンド方式として、ＴＨＸ−ＥＸやｄｔｓ−ＥＳのように、リアセンタを加えてリアを３チャンネルに拡張した６．１チャンネルの音声フォーマットが規格化されている。
【０００５】
音声フォーマットで規定されている最大数のオーディオパワーアンプを内蔵することを前提とする従来の手法では、この新たな６．１チャンネルに対応するためには、マルチチャンネルオーディオ再生装置に、６個のオーディオパワーアンプを内蔵させるように、ハードウエアを変更するようにしなければならない。
【０００６】
しかしながら、このように対応フォーマットのチャンネル数に応じたパワーアンプを内蔵する方式の場合には、新たなフォーマットが登場する度に、チャンネル数の増加分だけ、パワーアンプを増設する必要があり、きりがない。また、高価なパワーアンプ部品の追加分のコストだけでなく、ハードウエアの変更による組み立てコストが増加して、再生装置の価格が高価格になってしまう。
【０００７】
この発明は、上述の点にかんがみ、ハードウエアを変更せずに、マルチチャンネルサラウンドのチャンネル数の増加に対応することができるようにしたオーディオ再生装置を提供することを目的とする。
【０００８】
【課題を解決するための手段】
上記課題を解決するため、請求項１の発明によるマルチチャンネルオーディオ再生装置は、
所定のマルチチャンネル・フォーマットの入力オーディオ信号をデコードするデコード部と、
前記入力オーディオ信号の前記マルチチャンネル・フォーマットに必要なチャンネル数よりも少ない数の複数個のオーディオパワーアンプと、
前記デコード部と、前記複数個のオーディオパワーアンプとの間に設けられ、前記デコード部からの前記マルチチャンネル・フォーマットの複数チャンネルのデコード出力を入力チャンネルとして受け、前記複数個のオーディオパワーアンプの数以下のチャンネル数のオーディオ信号を出力チャンネルとして出力する信号処理部と、
複数個のオーディオパワーアンプの出力が供給される複数個のスピーカの配置についてのユーザによる設定情報を受け付けるためのユーザインタフェース手段と、
前記ユーザインタフェース手段で受け付けられた前記スピーカの配置の設定情報に基づいて、前記信号処理部における処理を制御する制御部と
を備え、
前記制御部は、前記スピーカの配置の設定情報に基づいて、前記入力チャンネルのうちの、対応するスピーカが配置されていないと判定される入力チャンネルのデコード部の出力は、対応するスピーカが配置されている他の入力チャンネルのデコード出力に混合し、かつ、前記混合により前記出力チャンネルとされなくなった入力チャンネルのために、使用可能となる出力チャンネルとして、対応するスピーカが配置されている他の入力チャンネルのデコード部の出力を導出するように、前記信号処理部を制御する
マルチチャンネルオーディオ再生装置とする。
【００１２】
上述の構成の請求項１の発明においては、制御部は、スピーカの配置についての情報に応じて、信号処理部を制御する。この制御に応じて信号処理部においては、入力チャンネルのオーディオデコード出力を実際に配置されているスピーカに対応させ、かつ、対応するスピーカが配置されていない入力チャンネルのオーディオデコード出力は、他のチャンネルに混合するなどして、実際に配置されているスピーカに対応した出力チャンネルのオーディオ出力信号を生成する。
【００１５】
また、信号処理部からは、スピーカ配置の設定情報に基づいて、入力チャンネルのうちの、対応するスピーカが配置されていないと判定される入力チャンネルのデコード部の出力は、対応するスピーカが配置されている他のチャンネルのデコード出力に混合されて出力される。そして、当該対応するスピーカが配置されていないと判定されることにより、使用可能となった出力チャンネルとして、対応するスピーカが配置されている他の入力チャンネルのデコード部の出力が出力されて、スピーカの配置の設定情報に応じた出力チャンネルとなるように出力される。
【００１６】
したがって、例えば、チャンネル数が少ない既存の再生装置のハードウエアを変更することなく、チャンネル数が増加する新たな音声フォーマットのマルチチャンネルサラウンドに対応することができる。
【００１７】
さらに、以下に説明するような、マルチチャンネルサラウンドシステムの実際上の使用のされ方を考慮したとき、その効果は大きい。
【００１８】
すなわち、マルチチャンネルサラウンドシステムを実際に構成する場合、実際のユーザ宅では、設置スペースなどの理由で、音声フォーマットに応じた全てのスピーカを設置しない場合が多く、例えば、フロントセンタチャンネル用のスピーカは、その設置スペースが、テレビ受像機などの画像表示装置の画面に占有されて、実際には、設置できないので、フロントセンタスピーカ無しの設定で使用する場合が多々ある。
【００１９】
このため、従来は、ユーザが実際には設置していないスピーカに対応するチャンネルのアンプが無駄になっていた。しかし、請求項４の発明においては、スピーカの配置の設定情報として、従来、使用されていなかったチャンネルを、新たな音声フォーマットとして増加したチャンネルに割り当てることができるので、従来使用されていなかったチャンネルを有効利用することができる。
【００２０】
【発明の実施の形態】
以下、この発明によるマルチチャンネルオーディオ再生装置の実施の形態を、図を参照しながら説明する。以下に説明する実施の形態は、５．１チャンネル用のハードウエア構成を変更することなく、６．１チャンネルに対応するようにしたＡＶアンプの場合の例である。
【００２１】
例えば、ＤＶＤプレーヤなどからバイフェイズ変調されたＴＨＸ−ＥＸの６．１チャンネルの圧縮オーディオ信号が、入力端子１を通じて、この実施の形態のＡＶアンプに入力される。ＡＶアンプでは、この入力信号をデジタルインタフェースレシーバ２で受信し、ＤＳＰ（Ｄｉｇｉｔａｌ  Ｓｉｇｎａｌ  Ｐｒｏｃｅｓｓｏｒ）からなるマルチチャンネルデコーダ３で、６チャンネル＋サブウーハーのマルチチャンネル音声出力にデコードする。
【００２２】
図１のマルチチャンネルデコーダ３のマルチチャンネルデコード出力は、フロント左チャンネルＦＬch、フロント右チャンネルＦＲch、フロントセンタチャンネルＦＣch、リア左チャンネルＳＬch、リア右チャンネルＳＲch、リアセンタチャンネルＳＣchの６チャンネルと、サブウーハーチャンネルＳＷchである。
【００２３】
このマルチチャンネルデコーダ３からのマルチチャンネルデコード出力は、ＤＳＰからなる信号処理部４に供給される。この信号処理部４は、ダウンミックス部４１と、５チャンネル分のイコライザ回路部４２ａ，４２ｂ，４２ｃ，４２ｄ，４２ｅと、５チャンネル分のバランス調整回路部４３ａ，４３ｂ，４３ｃ，４３ｄ，４３ｅと、ホストインタフェース４４とで構成されている。
【００２４】
この信号処理部４の５チャンネルの出力は、それぞれＤ／Ａ変換部５ａ，５ｂ，５ｃ，５ｄ，５ｅによりアナログオーディオ信号に変換される。そして、各チャンネルのアナログオーディオ信号は、音量調節部６ａ，６ｂ，６ｃ，６ｄ，６ｅで、主音量調節が行われた後、オーディオパワーアンプ７ａ，７ｂ，７ｃ，７ｄ，７ｅに供給されて増幅され、出力端子８ａ，８ｂ，８ｃ，８ｄ，８ｅに出力される。
【００２５】
また、サブウーハーのチャンネルのデジタルオーディオ信号は、Ｄ／Ａ変換部５ｗでアナログオーディオ信号に変換され、音量調節部６ｗおよびオーディオパワーアンプ７ｗを通じて出力端子８ｗに出力される。
【００２６】
各出力端子８ａ，８ｂ，８ｃ，８ｄ，８ｅ，８ｗに対しては、適宜、ユーザにより各チャンネル用のスピーカが接続されるが、出力端子８ａ，８ｂ，８ｃ，８ｄ，８ｅ，８ｗの全てに対してスピーカが接続されるものではないことは、前述した通りである。
【００２７】
信号処理部４のダウンミックス部４１は、マルチチャンネルデコーダ３からのサブウーハーチャンネルＳＷchを除く６チャンネルのデコード出力を入力チャンネルとして受けて、後述するように、実際には設置されないスピーカに対応する入力チャンネルのデコード出力を、実際にスピーカが配置される入力チャンネルのデコード出力に適宜振り分けると共に、実際のスピーカ配置に応じた出力チャンネルとするようにすることで、出力チャンネルの信号を生成する。この例の場合には、出力チャンネルの最大数は、５チャンネルである。
【００２８】
このダウンミックス部４１は、機能的には、複数の入力チャンネルのデコード出力を混合する機能と、入力チャンネルのデコード出力をいずれの出力チャンネルとして出力するかを切り換え制御する機能とを備える。そして、ダウンミックス部４１における処理動作は、マイクロコンピュータからなる制御部１０からの制御信号により制御される。
【００２９】
制御部１０は、ＣＰＵ１０１と、プログラムＲＯＭ（Ｒｅａｄ  Ｏｎｌｙ  Ｍｅｍｏｒｙ）１０２と、ワークエリアＲＡＭ（Ｒａｍｄｏｍ  Ａｃｃｅｓｓ  Ｍｅｍｏｒｙ）とを備えて構成され、図示しないＩ／Ｆを通じて、操作入力部１１でのユーザ操作入力を受け付ける。制御部１０は、また、図示しないディスプレイコントローラを通じてＬＣＤ（Ｌｉｑｕｉｄ  Ｃｒｙｓｔａｌ  Ｄｉｓｐｌａｙ）などのディスプレイ１２の表示制御を行う。
【００３０】
ユーザは、後述するように、操作入力部１１を用いて、入力音声のフォーマットである６．１チャンネルサラウンドシステムで使用可能なスピーカのうちの、実際に配置するスピーカと、各出力端子８ａ，８ｂ，８ｃ，８ｄ，８ｅ，８ｗとの関係を、スピーカ配置の設定情報として入力する。
【００３１】
制御部１０は、このスピーカ配置の設定情報に基づいて、ダウンミックス部４１を制御する制御信号を生成し、ホストインタフェース４４を通じて信号処理部４に供給する。ダウンミックス部４１は、この制御信号に応じて、対応するスピーカが配置されていないと判定される入力チャンネルのデコーダ３の出力は、対応するスピーカが配置されている他の入力チャンネルのデコード出力に混合し、かつ、対応するスピーカが配置されている入力チャンネルのデコーダ３の出力は、前記スピーカの配置の設定情報に応じた出力チャンネルとなるように、ダウンミックス処理を行う。
【００３２】
以上のように構成されたマルチチャンネルオーディオ再生装置の実施の形態としてのＡＶアンプにおける動作について説明する。
【００３３】
まず、ユーザは、６．１チャンネルサラウンドシステムで使用可能な各チャンネルのスピーカのうちの、実際に配置するスピーカを決め、決定したチャンネルのスピーカのそれぞれを、ＡＶアンプの出力端子８ａ，８ｂ，８ｃ，８ｄ，８ｅ，８ｗの、それぞれ対応するものに接続すると共に、適切な位置に各スピーカを配置する。
【００３４】
そして、ユーザは、ＡＶアンプについてのセットアップの設定処理を、ＡＶアンプのビデオ出力が供給されるテレビモニター受像機の画面に表示されるガイダンスに従いながら、操作入力部１１を用いて行う。なお、セットアップの画面をディスプレイ１２に表示して、セットアップを行うようにしてもよい。
【００３５】
このセットアップの項目には、スピーカの配置の設定情報が含まれ、いずれのチャンネル用のスピーカが設置され、それぞれのスピーカがいずれの出力端子に接続されているかが設定される。
【００３６】
この場合において、この実施の形態のＡＶアンプにおいては、デフォルトのスピーカ配置の設定情報においては、例えば、出力端子８ａはフロント左チャンネルＦＬch、出力端子８ｂはフロント右チャンネルＦＲch、出力端子８ｃはフロントセンタチャンネルＦＣch、出力端子８ｄはリア左チャンネルＳＬch、出力端子８ｅはリア右チャンネルＳＲch、出力端子８ｗはサブウーハーチャンネルＳＷchのそれぞれに割り当てられているものとする。
【００３７】
ユーザは、このデフォルトのスピーカ配置の設定情報を、任意に設定変更できるし、デフォルト設定のままとすることも自由である。制御部１０は、操作入力部１１を通じた入力される、このスピーカ配置の設定情報を認識し、その認識結果に応じて、信号処理部４のダウンミックス部４１のダウンミックス処理を制御する制御信号を生成する。そして、その生成した制御信号をホストインタフェース４４を通じてダウンミックス部４１に供給する。ダウンミックス部４１は、その制御信号にしたがったダウンミックス処理を実行する。
【００３８】
例えば、ユーザがデフォルトのスピーカ配置の設定状態と同じ設定を行った場合には、制御部１０は、図２に示すように、入力チャンネルのリアセンタチャンネルＳＣchの信号を、リア左チャンネルＳＬchの信号と、リア右チャンネルＳＲchの信号とに分配混合するようにする制御信号を、ダウンミックス部４１に供給する。この場合、ダウンミックス部４１からは、図２に示されるような５個の出力チャンネルが出力される。
【００３９】
また、ユーザが、フロントセンタチャンネルＦＣchとリアセンタチャンネルＳＣchの両方に対応するスピーカを配置しないとし、その他のチャンネルについては、デフォルトの通りの設定とした場合には、制御部１０は、図３に示すように、入力チャンネルのリアセンタチャンネルＳＣchの信号を、リア左チャンネルＳＬchの信号と、リア右チャンネルＳＲchの信号とに分配混合すると共に、フロントセンタチャンネルＦＣchの信号を、フロント左チャンネルＳＬchの信号と、フロント右チャンネルＳＲchの信号とに分配混合するようにする制御信号を、ダウンミックス部４１に供給する。この場合、ダウンミックス部４１からは、図３に示されるような４個の出力チャンネルが出力される。
【００４０】
この図３の例のように、出力チャンネルの全てが使用されるわけではない場合には、この実施の形態においては、使用されないチャンネルは、制御部１０が認識している。そこで、制御部１０は、当該使用されないチャンネルのＤ／Ａ変換部、音量調節部、オーディオパワーアンプ部への電源供給を停止して、消費電力を削減することができる。
【００４１】
次に、ユーザが、フロントセンタチャンネルＦＣchに対応するスピーカを配置せずに、その代わりにリアセンタチャンネルＳＣchに対応するスピーカを配置する設定を行って、出力端子８ｃに、リアセンタチャンネルＳＣchに対応するスピーカを接続した場合には、制御部１０は、図４に示すように、入力チャンネルのフロントセンタチャンネルＦＣchの信号を、フロント左チャンネルＳＬchの信号と、フロント右チャンネルＳＲchの信号とに分配混合すると共に、分配混合により空きとなった出力チャンネル（出力端子８ｃ）に、リアセンタチャンネルＳＣchの信号を出力するように切り換える制御信号を、ダウンミックス部４１に供給する。この場合、ダウンミックス部４１からは、図４に示されるような５個の出力チャンネルが出力される。
【００４２】
以上の３つの例を想定した場合のダウンミックス部４１の等価ハードウエア構成を、図５に示すと共に、制御部１０から送られる制御信号の具体例について説明する。
【００４３】
すなわち、図５に示すように、フロント左チャンネルＦＬch、フロント右チャンネルＦＲch、リア左チャンネルＳＬch、リア右チャンネルＳＲch、のそれぞれの入力チャンネルの信号は、加算手段４１１、４１２、４１４、４１５を通じて出力チャンネルとされる。
【００４４】
そして、入力チャンネルのフロントセンタチャンネルＦＣchの信号は、係数乗算手段４１７を通じて加算手段４１３に供給されると共に、係数乗算手段４１６を通じて加算手段４１１および４１２に供給される。
【００４５】
また、入力チャンネルのリアセンタチャンネルＳＣｃｈの信号は、係数乗算手段４１９を通じて加算手段４１３に供給されると共に、係数乗算手段４１８を通じて加算手段４１４および４１５に供給される。
【００４６】
以上のような構成において、係数乗算手段４１６、４１７、４１８、４１９のそれぞれにおいて乗算する係数を、それぞれ図５に示すように、ｋ１，ｋ２，ｋ３，ｋ４（ただし、０≦ｋ１，ｋ２，ｋ３，ｋ４≦１）としたとき、これらの係数ｋ１，ｋ２，ｋ３，ｋ４の値が、制御信号として制御部１０からダウンミックス部４１に供給される。
【００４７】
例えば、ダウンミックス部４１が図２のようになる場合のダウンミックス処理時の係数ｋ１，ｋ２，ｋ３，ｋ４のそれぞれの値は、
ｋ１＝０
ｋ２＝１
ｋ３＝０．７
ｋ４＝０
とされる。
【００４８】
また、ダウンミックス部４１が図３のようになる場合のダウンミックス処理時の係数ｋ１，ｋ２，ｋ３，ｋ４のそれぞれの値は、
ｋ１＝０．７
ｋ２＝０
ｋ３＝０．７
ｋ４＝０
とされる。
【００４９】
さらに、ダウンミックス部４１が図４のようになる場合のダウンミックス処理時の係数ｋ１，ｋ２，ｋ３，ｋ４のそれぞれの値は、
ｋ１＝０．７
ｋ２＝０
ｋ３＝０
ｋ４＝１
とされる。
【００５０】
次に、セットアップ時のスピーカ設定において、以上の３つの例を想定した場合の、制御部１０と、ダウンミックス部４１とのソフトウエア処理についてのフローチャートを図６に示す。
【００５１】
図６のフローチャートに示す処理ルーチンは、セットアップ時のユーザによるスピーカ配置の設定情報の入力が完了すると開始される。
【００５２】
まず、制御部１０は、スピーカ配置の設定情報から、フロントセンタチャンネルに対応するスピーカが配置されたか否か判別する（ステップＳ１）。フロントセンタチャンネルに対応するスピーカが配置されていると判別すると、制御部１０は、リアセンタチャンネルＳＣchの信号を、リア左チャンネルＳＬchの信号と、リア右チャンネルＳＲchの信号とに分配混合するようにする制御信号を、ダウンミックス部４１に供給する。ダウンミックス部４１では、指示通りの処理を実行する（ステップＳ２）。この状態は、図２の状態に相当する。
【００５３】
また、ステップＳ１で、フロントセンタチャンネルに対応するスピーカが配置されていないと判別すると、制御部１０は、フロントセンタチャンネルＦＣchの信号を、フロント左チャンネルＳＬchの信号と、フロント右チャンネルＳＲchの信号とに分配混合するようにする制御信号を、ダウンミックス部４１に供給し、ダウンミックス部４１では、指示通りの処理を実行する（ステップＳ３）。
【００５４】
そして、さらに、制御部１０は、リアセンタチャンネルＳＣchに対応するスピーカが配置されているか否か判別し（ステップＳ４）、配置されていないと判別したときには、リアセンタチャンネルＳＣchの信号を、リア左チャンネルＳＬchの信号と、リア右チャンネルＳＲchの信号とに分配混合するようにする制御信号を、ダウンミックス部４１に供給し、ダウンミックス部４１では、指示通りの処理を実行する（ステップＳ５）。以上の状態は、図３の状態に相当する。
【００５５】
ステップＳ４で、リアセンタチャンネルＳＣchに対応するスピーカが配置されていないと判別すると、制御部１０は、出力チャンネル（出力端子８ｃ）に、リアセンタチャンネルＳＣchの信号を出力するように切り換える制御信号を、ダウンミックス部４１に供給し、ダウンミックス部４１では、指示通りの処理を実行する（ステップＳ６）。以上の状態は、図４の状態に相当する。
【００５６】
以上のようにして、スピーカ設定が終了すると、制御部１０および信号処理部４では、その後は、各出力チャンネルを、セットアップにより上述のように新たに定義し直されたチャンネルと見なして、イコライジングや、バランス調整などを行い、Ｄ／Ａ変換し、パワーアンプで増幅して、それぞれの対応するスピーカが接続されている出力端子に出力する。
【００５７】
こうして、この実施の形態においては、従来からある５．１チャンネルのマルチチャンネルサラウンド用のハードウエア構成を変更することなく、マイクロコンピュータのファームウエアのアップデートを行うことのみにより、６．１チャンネルのマルチチャンネルサラウンドの信号に対応した再生処理を行うことができるオーディオ再生装置を実現することができる。
【００５８】
したがって、ＡＶアンプの設計工数を削減することができる。また、高価なパワーアンプを、入力チャンネルの全チャンネル数分内蔵する必要がないので、部品コストおよび組み立てコストを低減することができる。
【００５９】
また、無駄な出力チャンネルに電力を消費しないようにすることができるので、省エネルギーに貢献する。また、将来的に、７．１チャンネルのマルチチャンネルサラウンドの音声フォーマットが現れても、ソフトウエアの変更だけで対応することが可能である。
【００６０】
なお、ダウンミックス部４１における上述したダウンミックス処理は、一例であって、これに限られるものではないことは勿論である。
【００６１】
また、上述の実施の形態は、入力チャンネルが６．１チャンネルのマルチチャンネルサラウンドの場合であるが、これに限られるものではなく、例えば、フロント５チャンネルおよびリア２チャンネルの７．１チャンネル（ＳＤＤＳフォーマット）への対応や、リアセンタがステレオ化された７．１チャンネルシステムへの対応に対しても、この発明は適用可能である。
【００６２】
【発明の効果】
以上説明したように、この発明によれば、マルチチャンネルサラウンドのチャンネル数の増加しても、ハードウエアを変更せずに、対応することができるオーディオ再生装置を実現することができる。
【図面の簡単な説明】
【図１】この発明によるマルチチャンネルオーディオ再生装置の実施の形態のブロック図である。
【図２】実施の形態の一部の信号処理部のダウンミックス部の処理内容の例を説明するための図である。
【図３】実施の形態の一部の信号処理部のダウンミックス部の処理内容の例を説明するための図である。
【図４】実施の形態の一部の信号処理部のダウンミックス部の処理内容の例を説明するための図である。
【図５】実施の形態の一部の信号処理部のダウンミックス部の等価ハードウエア構成の例を示す図である。
【図６】実施の形態の動作の説明のためのフローチャートである。
【符号の説明】
３…マルチチャンネルデコーダ、４…信号処理部、５ａ〜５ｅ，５ｗ…Ｄ／Ａ変換部、６ａ〜６ｅ，６ｗ…音量調節部、７ａ〜７ｅ…オーディオパワーアンプ、１０…制御部、１１…操作入力部、４１…ダウンミックス部、４２ａ〜４２ｅ…イコライザ部、４３ａ〜４３ｅ…バランス調整部
【図１】
0004304401.tif 000002
【図２】
0004304401.tif 000003
【図３】
0004304401.tif 000004
【図４】
0004304401.tif 000005
【図５】
0004304401.tif 000006
【図６】
0004304401.tif 000007